(57)【要約】      （修正有）【課題】衣服としての機能や美観を損なうことなく、股下寸法の迅速かつ容易な調整が可能であり、しかも着用時におけるスムーズな装着感を与える衣服の提供。【解決手段】股上部と股下部とを備え、股下部の所定の位置に、内布と外布とからなる二重以上の構造により形成された股下部の長さを調整する長さ調整部と、長さ調整部を包摂する包摂部とを備えてなり、長さ調整部は、外布または内布の内表面に、長手方向に所定の間隔で配置された一つまたは複数の係止具と、外布または内布の下端部に、係止具と係合可能な被係止具と、を備え、係止具と被係止具とが係合することにより、所定の長さに調整された状態で股下部が保持され、包摂部は、外布の下端部と内布の下端部との少なくとも一部を接合する接合部を備え、接合された外布と内布との間に長さ調整部が包摂されることにより、股下部の長さを調整可能にしながら、着用時にスムーズに足を通せるようにした。【選択図】図２
2019183338.tif 000002
【特許請求の範囲】
【請求項１】
股下部の長さを調整可能な衣服であって、
前記衣服は、股上部と股下部とを備え、
前記股下部の所定の位置に、内布と外布とからなる二重以上の構造により形成され、股下部の長さを調整する長さ調整部と、前記長さ調整部を包摂する包摂部とを備えてなり、
前記長さ調整部は、前記外布または前記内布の内表面に、長手方向に所定の間隔で配置された一つまたは複数の係止具と、前記外布または前記内布の内表面に、前記係止具と係合可能な被係止具と、を備え、前記係止具と被係止具とが係合することにより、所定の長さに調整された状態で前記股下部が保持され、
前記包摂部は、前記外布の下端部と内布の下端部との少なくとも一部を接合する接合部を備え、前記接合された外布と内布との間に前記長さ調整部が包摂されることにより、股下部の長さを調整可能にしながら、着用時にスムーズに足を通すことができるようにしたことを特徴とする、衣服。
【請求項２】
前記係止具及び被係止具を含む前記長さ調整部が、衣服の両脇線部に設けられてなる、請求項１に記載の衣服。
【請求項３】
前記外布の下端部の裾に形状保持能を有する芯地部分が形成されてなる、請求項１または２に記載の衣服。
【請求項４】
前記係止具ないし被係止具が、ボタンである、請求項１〜３のいずれか一項に記載の衣服。
【請求項５】
前記係止具ないし被係止具が、面ファスナー、スナップ、およびズボン用のアジャスタ／アジャスタレールから選択されたものである、
請求項１〜４のいずれか一項に記載の衣服。
【請求項６】
前記接合部が面ファスナーによって形成されてなる、請求項１〜５のいずれか一項に記載の衣服。
【請求項７】
前記接合部が縫い付け手段によって形成されてなる、請求項１〜６のいずれか一項に記載の衣服。
【請求項８】
前記包摂部における前記外布の下端部と内布の下端部の一部区間にのみ前記接合部が形成されてなる、請求項１〜７のいずれか一項に記載の衣服。
【請求項９】
前記包摂部が、履いたときにつま先やかかと部分などの足の部位で引っかかる可能性が高い部分に包摂部が形成されるように、つま先方向の領域である右脇〜正面〜左脇、あるいは右脇〜かかと〜左脇を含む略半周領域のみに形成されるように構成されてなる、請求項８に記載の衣服。
【請求項１０】
前記内布がメッシュからなる、請求項１〜９のいずれか一項に記載の衣服。
【請求項１１】
前記長さ調整部の被係止具が股下部の前記外布の裾折り返し部または前記内布に設けられてなる、請求項１〜１０のいずれか一項に記載の衣服。
【請求項１２】
前記裾の芯地部分に、形状保持能を有する材料が導入されることによって、裾を折りあげて股下調整した際に芯地が外布を裏側（衣服内面側）から外表面に向かって押さえつけたような状態を保持するようにした、請求項３に記載の衣服。
【請求項１３】
前記衣服が、ズボン、オーバーオールまたは作業用つなぎ服から選ばれる、請求項１〜１２のいずれか一項に記載の衣服。
【発明の詳細な説明】
【技術分野】
【０００１】
本発明は、各種ズボン（パンツ）類に代表される下半身（下肢部）に着用される部分を含む衣服に関し、特に、当該衣服の機能や美観を損なわずに股下寸法の迅速かつ容易な調整が可能であり、しかも着用時におけるスムーズな装着感を与える衣服に関するものである。
【背景技術】
【０００２】
ズボンなどの下半身に着用される衣服においては、通常、着用者のウエスト周りに合致したサイズが選択され、股下寸法に関しては購入時に適宜サイズ合わせが行われることが一般的である。
【０００３】
しかしながら、たとえば成長の早い幼年期や思春期の子供のズボンなど、股下寸法を着用者の成長サイズに合わせて事後的に適宜自前で調節できれば便利である。
【０００４】
また、作業用ないし業務用ズボンなどのように、あらかじめ着用する個人の体型に合わせたサイズを個々に準備することが困難な場合にあっては、ある程度幅をもたせたサイズのズボンであって着用者の股下寸法に合わせてその都度調整する必要がある。
【０００５】
従来、股下寸法を調整可能にしたズボンとしては、以下のような技術が提案されている。
【０００６】
特許文献１（特開２００６−２９１３８４号公報）には、先端部に連結対の一方が固定され、裏側に連結対の他方が裾丈方向に適宜間隔で連設される股下部を有し、連結対を選択して連結することにより股下寸法が調整可能な衣服が開示され、内側へ裾を折り返して、裾丈方向に配置されたスナップボタンで留めることによってズボン丈を調整するようにしている。
【０００７】
特許文献２（特開２０１７−１７９６６２号公報）には、ズボンの脇線縫い代部の裾丈方向に所定間隔で被係止部を配置するとともに裾口部における脇線縫い代部と対応する部分に二等辺三角形の当て布を縫着し、この当て布の頂角部分に係止具となるボタンを配置し、脇線縫い代部に配置する各被係止部を裾丈方向と直交する状態で上下に平設された一対の平ゴムを所定の間隔を隔てて位置させて形成してあることを特徴とする股下寸法調整可能なズボンが提案されており、この場合のズボン丈の調整は、内側へ折り返した裾をボタンで留めて丈を自在に調整するようにしている。
【０００８】
また、特許文献３（特開２００５−１５４９６１号公報）には、裾の下端縁近傍に、表面側に所定長さで垂下するヒダ部が上下方向に複数段形成され、各ヒダ部の裏側の布地の所定箇所には、布地を切断した時の繊維のほつれを防止するためのほつれ防止手段が施されることを特徴とするサイズ調整機能付きズボンが提案されており、このズボンにおいては、裾を切断することにより丈を調整するための箇所を数段階設けほつれないような工夫がされている。
【０００９】
さらに、特許文献４（特開２００４−１４３６４８号公報）においては、ズボンの脚部にトンネル状の布部を形成して、トンネル内に通した紐を引っ張ることにより長さを調整するようにしたズボンが提案されている。
【００１０】
特許文献５（特開２０１７−５３０６２号公報）には、基布と該基布の表面に存在する係合素子とを備える面ファスナーがズボンの裾の内側に設けられた丈調整機能具備ズボンであって、該基布上に係合素子存在領域と係合素子非存在領域を地経糸方向に交互に有し、該係合素子存在領域には、少なくともループ状係合素子を有し、該ズボンの裾を内側に折り返して、該ループ状係合素子と雄型係合素子とを係合させることによりズボン丈が調整可能な丈調整機能具備ズボンが開示されており、この場合のズボンの丈調整は、内側に折り返した裾を面ファスナーで留めることによって行われる。
【００１１】
また、特許文献６（特開２００４−２６３３５２号公報）には、ズボンの左右の脚部を途中で上下に分断してズボン本体に一体の上脚部とズボン本体とは分離した下脚部とを形成すると共に、ズボン本体に縫い付けた裏地の上脚部内側にのぞむ裏地筒状部を上脚部の下部内側とは遊離して設け、その裏地筒状部の下端開口縁に前記下脚部の上端開口縁を縫い合わせ、そして上脚部の下端開口内に下脚部の上部を挿入した状態で、上脚部と下脚部の間を連結具により長さ調節自在に連結することを特徴とするズボンの股下調節構造が開示されており、この場合の丈調整は、脚部の途中を分断させて、上下のパーツをボタンで長さ調整可能に留めることにより行われる。
【先行技術文献】
【特許文献】
【００１２】
【特許文献１】特開２００６−２９１３８４号公報
【特許文献２】特開２０１７−１７９６６２号公報
【特許文献３】特開２００５−１５４９６１号公報
【特許文献４】特開２００４−１４３６４８号公報
【特許文献５】特開２０１７−０５３０６２号公報
【特許文献６】特開２００４−２６３３５２号公報
【発明の概要】
【発明が解決しようとする課題】
【００１３】
上述した従来のズボンにおいては、様々な股下調整構造が提案されているが、これらの調整構造は、いずれも一定の股下寸法の調節機能を果たすことができるものの、着用時に下肢を通したときに、調整構造部位における引っかかりや違和感を不可避的に伴うものであり、スムーズな装着感において必ずしも満足のいくものではなかった。
【００１４】
本発明は、上述した従来技術における問題を解決することに向けられたものであり、衣服としての機能や美観を損なうことなく、股下寸法の迅速かつ容易な調整が可能であり、しかも着用時におけるスムーズな装着感を与える衣服を提供することを目的としている。
【課題を解決するための手段】
【００１５】
本発明による衣服は、股下部の長さを調整可能な衣服であって、前記衣服は、股上部と股下部とを備え、前記股下部の所定の位置に、内布と外布とからなる二重以上の構造により形成され、股下部の長さを調整する長さ調整部と、前記長さ調整部を包摂する包摂部とを備えてなり、前記長さ調整部は、前記外布または前記内布の内表面に、長手方向に所定の間隔で配置された一つまたは複数の係止具と、前記外布または前記内布の内表面に、前記係止具と係合可能な被係止具と、を備え、前記係止具と被係止具とが係合することにより、所定の長さに調整された状態で前記股下部が保持され、前記包摂部は、前記外布の下端部と内布の下端部との少なくとも一部を接合する接合部を備え、前記接合された外布と内布との間に前記長さ調整部が包摂されることにより、股下部の長さを調整可能にしながら、着用時にスムーズに足を通すことができるようにしたことを特徴とするものである。
【００１６】
本発明の好ましい態様においては、前記係止具及び被係止具を含む前記長さ調整部が、衣服の両脇線部に設けられてなる。
【００１７】
本発明の好ましい態様においては、前記外布の下端部の裾に形状保持能を有する芯地部分が形成されてなる。
【００１８】
本発明の好ましい態様においては、前記係止具ないし被係止具が、ボタンである。
【００１９】
本発明の好ましい態様においては、前記係止具ないし被係止具が、面ファスナー、スナップ、およびズボン用のアジャスタ／アジャスタレールから選択されたものからなる。
【００２０】
本発明の好ましい態様においては、前記接合部が面ファスナーによって形成されてなる。
【００２１】
本発明の好ましい態様においては、前記接合部が縫い付け手段によって形成されてなる。
【００２２】
本発明の好ましい態様においては、前記包摂部における前記外布の下端部と内布の下端部の一部区間にのみ前記接合部が形成されてなる。
【００２３】
本発明の好ましい態様においては、前記包摂部が、履いたときにつま先やかかと部分などの足の部位で引っかかる可能性が高い部分に包摂部が形成されるように、つま先方向の領域である右脇〜正面〜左脇、あるいは右脇〜かかと〜左脇を含む略半周領域のみに形成されるように構成することもできる。
【００２４】
本発明の好ましい態様においては、前記内布がメッシュからなる。
【００２５】
本発明の好ましい態様においては、前記長さ調整部の被係止具が股下部の前記外布の裾折り返し部または前記内布に設けられてなる。
【００２６】
本発明の好ましい態様においては、前記裾の芯地部分に、形状保持能を有する材料が導入されることによって、裾を折りあげて股下調整した際に芯地が外布を裏側（衣服内面側）から外表面に向かって押さえつけたような状態を保持するようにしてなる。
【００２７】
本発明に係る股下調整衣服は、下半身（下肢部）への着用を含む衣服であって、具体的には、ズボン類のみならず、オーバーオールまたは作業用つなぎ服を広く包含し、男性用および女性用の双方を含むものであり、適用年齢においても限定されるものではない。
【発明の効果】
【００２８】
本発明に係る股下調整衣服によれば、衣服としての機能や美観を損なうことなく、股下寸法の迅速かつ容易な調整が可能であり、しかも着用時におけるスムーズな装着感を与えることができるという優れた効果を奏する。
【図面の簡単な説明】
【００２９】
【図１】本発明による股下調整衣服の具体的態様である股下調整ズボンの正面図。
【図２】本発明の実施態様に係る股下調整ズボンにおいて、最長の長さ調整をした場合の部分断面図。
【図３】本発明の実施態様に係る股下調整ズボンにおいて、最短の長さ調整をした場合の部分断面図。
【図４】本発明の実施態様に係る股下調整ズボンにおいて、図２に示す包摂部を含む長さ調整部の構成を示すためにズボンの膝下部をインサイドアウトした（裏返した）状態の外観図。
【図５】図４において、包摂部がズボン内面の全周ではなく部分的に形成された場合の態様を示す外観図。
【図６】図５において、裾を折りあげて股下寸法を調整した後の構成（内面側）を示す外観図。
【発明を実施するための形態】
【００３０】
以下、図面を参照して本発明の好ましい一実施形態について説明する。なお、本件明細書に添付する図面においては、図示と理解のしやすさの便宜上、適宜縮尺および縦横の寸法比等は変更されており、実物のそれらと必ずしも正確に一致するものではない。
【００３１】
図１は、本発明による股下調整衣服の具体的態様である股下調整ズボン（パンツ）の正面図。図２は、当該股下調整ズボンにおいて最長の長さ調整をした場合の部分断面図であり、図３は、同じく股下調整ズボンにおいて最短の長さ調整をした場合の部分断面図である。
【００３２】
本発明の一実施態様に係る股下調整ズボン１は、股上部２と股下部３とからなり、この例の場合、股上部２には腰帯４とベルト通し５および前立て部６ならびにポケット７が形成されている。そして、この実施態様においては、本発明における長さ調整部は、ズボン内面の股下部３の先端部の裾折り返し部８ならびに脇線部（図示せず）に形成されている。
【００３３】
図２は、当該股下調整ズボンにおいて最長の長さに股下調整をした場合の部分断面図である。この断面図に示すように、本発明においては、股下部３の膝下部の先端の裾折り返し部８を含むように、内布１２と外布１１とからなる二重構造により形成され、股下部３の長さを調整する長さ調整部１３と、前記長さ調整部１３を包摂する包摂部１４とが形成されている。
【００３４】
包摂部１４を構成する内布１２の材質は、特に限定されるものではないが、通常のズボンや衣服の裏地に使用される布地の他、メッシュ等が用いられ得る。
【００３５】
長さ調整部１３は、外布１１の内表面に、長手方向に所定の間隔で配置された複数の係止具１５ａであるボタンと、外布１１の下端部に、係止具１５ａと係合可能な被係止具１５ｂであるボタンフックとが備えられ、係止具１５ａと被係止具１５ｂとが係合することにより、所定の長さに調整された状態（図２の場合は最長の長さ）で股下部が保持され、さらに、包摂部１４は、外布１１の下端部と内布の下端部との少なくとも一部を接合する接合部１６を備え、接合された外布１１と内布１２との間に長さ調整部１３が包摂されることにより、股下部３の股下寸法を調整可能にしながら、着用時にスムーズに足を通すことができるという優れた作用効果を奏するよう構成されている。
【００３６】
長さ調整部１３に配置される係止具１５ａと被係止具１５ｂは、上記の例ではボタンとボタンフック（フック紐）が採用されているが、これに限定されず、たとえばスナップ（凸型スナップと凹型スナップ）あるいはブロックテーピー（登録商標）などのスナップ接合手段その他公知の係合手段であってもよい。また、ズボン用のアジャスタ／アジャスタレールを採用することもできる。さらに、係止具１５ａと被係止具１５ｂの配置間隔やその数についても、適用する衣服のデザインやサイズに応じて適宜最適のものが選択できる。
【００３７】
また、上記の係止具および被係止具をズボン股下部の両脇線部に配置するとともに、外布の下端部に芯地を備えることによって、長さ調整部１３をより堅牢に構成することができる。
【００３８】
また、上記の係止具および被係止具は、外布の内表面に配置する場合と同様にして、内布の内表面に配置してもよい（図示せず）。そのような場合であっても、外布の内表面に配置する場合と同様に、該係止具と被係止具とが係合することにより、股下部を所定の長さに調整された状態で保持することができる。
【００３９】
また、上記の芯地部分に、比較的固い素材のような形状保持能を有する材料を導入することによって、裾を折りあげて股下調整した際に芯地部が外布１１を裏側（ズボン内面側）から外表面に向かって押さえつけたような状態となり、ズボンの外観を一層すっきりとさせて美感を保持することができる上で好ましい。
【００４０】
また、少なくとも部分的に形成された接合部１６と上記芯地部を含む裾８の構成の組み合わせによって、折りあげた際に外布と内布とが適切に追従しやすくなり、これにより係合部分以外の裾が、着用の際に下方に垂れ下がることを効果的に防止することができるという相乗的な効果を奏する。
【００４１】
このような形状保持能を有する芯地用材料としては、たとえば、通常のズボンや衣服に使用される芯地などが用いられ得る。
【００４２】
さらにまた、上述した包摂部１４を構成する内布１２は、外布１１の内表面の全周にわたって筒状に設けることができるが、全周ではなく、たとえば１／２周〜３／４周程度の範囲で部分的に設けることもできる。好ましくは、包摂部１４を構成する内布１２は、履いたときに足先等が引っかかる可能性が高い部分（たとえば前方つま先方向）の領域（ズボンの右脇〜正面〜左脇を含む略半周領域）のみに部分的に形成することができる。このように、特定の領域のみに効果的に包摂部１４を設けることによって、構造が簡素になるだけではなく、たとえば夏用ズボンにおいて膝下部に熱がこもるのを極力軽減することができ、さらにまた股下の丈調節がより簡便になるという効果を奏する。
【００４３】
上述したように、包摂部１４は、外布１１の下端部と内布の下端部との少なくとも一部を接合する接合部１６によって形成されるが、この接合部１６は、所望の縫い付け手段によってより簡易に形成することができる。また、縫い付け手段以外にも、たとえば面ファスナー等で接合部を構成することができ、接合手段については特に限定されるものではない。
【００４４】
図３は、当該股下調整ズボンにおいて最短の長さに股下寸法を調整した場合の部分断面図である。この断面図に示すように、外布１１の内表面には配置された最も上部側の係止具１５ａに被係止具１５ｂを係合させることによって、最短の長さに股下寸法を調整することができる。この場合においても、包摂部１４の形成構造ならびに形成手段については、上記図２で説明した場合と同様である。
【００４５】
図４は、図２に示す包摂部１４を含む長さ調整部１３の構成を示すためにズボンの膝下部をインサイドアウトした（裏返した）状態の外観図である。図４に示す実施態様においては、外布１１の内面の全周にわたって内布１２が包摂した二重構造となっている。この例の場合の内布１２は通常のズボンの裏地に使用される布地が使われているが、メッシュその他の素材であってもよい。
【００４６】
また、図４の態様においては、ズボンの裾８の部分が芯地分だけ折りあげられた状態になっており、外布１１の下端部（裾の折りあげられた先端部）と内布１２の下端部とを縫い付けることによって接合部１６が形成されている。この例においては、縫い付けられた部分（接合部１６）は全周ではなく部分的であり、長さ調整部１３を手で操作できるように、その部分だけ開口部が形成されるように構成されている。図４のＡに示すように内布１１をめくるとズボンの左右の脇線に沿って長さ調整のための複数の係止具１５ａ（この場合はボタン）と裾８の芯地部に被係止具１５ｂ（この場合はフック紐）が設けられている。このような構成によれば、被係止具１５ｂを複数の係止具１５ａのいずれかに係合させることによって丈の長さを自在に調整することができる。
【００４７】
図５は、上記図４において、包摂部１４がズボン内面の全周ではなく部分的に形成された場合の態様を示す外観図である。
【００４８】
図５に示すように、この実施態様においては、包摂部１４を構成する内布１２は比較的目の粗いメッシュ素材からなり、包摂部１４は、かかと側Ｃではなく、履いたときに足先等が引っかかる可能性が高い部分であるつま先方向Ｂの領域、すなわち、ズボンの「右脇〜正面〜左脇」を含む略半周領域のみに部分的に形成されるように構成されている。なお、上記とは別に、たとえば、かかと部分で引っかかる可能性が高い場合においては、「右脇〜かかと〜左脇」を含む略半周領域のみに包摂部が形成されるように構成することもできる。その他の接合部１６、係止具１５ａならびに被係止具１５ｂ等の構成は図４の場合と同様である。
【００４９】
図５のように、内布１２をメッシュで形成することによって、外からも被係止具１５ｂと係止具１５ａを含む長さ調整部１３を目視することができるので、係合操作を行う上でも便利である。
【００５０】
さらにまた、内布１２の側面Ｄを開放させることによって、内布１２の側方からも手を挿入して股下寸法を調整をすることができ、寸法調整操作をより一層簡易に行うことができるという効果も奏する。
【００５１】
また、前述したように、図５のように、特定の領域のみに効果的に包摂部１４を設けることによって、構造が簡素になるだけではなく、たとえば夏用ズボンにおいて膝下部に熱がこもるのを極力軽減することができ、さらにまた股下の丈調節がより簡便になるという効果をも奏する。
【００５２】
図６は、上記図５において裾を折りあげて股下寸法を調整した後の構成（内面側）を示す外観図である。
【００５３】
図６に示すように、股下寸法調整後においては、裾８が調整寸法まで折りあげられ、包摂部１４は、長さ調整部１３がメッシュからなる内布１２によって適切にカバーされるように構成される。このような２重構造を有する包摂部１４が形成されることによって、寸法調整後の着用時において、股下部へスムーズに足（下肢）を通すことができ、従来のように寸法調節部に足先を引っかけたりすることによる不快感を効果的に解消することができる。
【００５４】
なお、上述した実施態様においては、長さ調整部が股下部の裾折り返し部に形成される例について説明したが、本発明はこれに限定されるものではなく、デザイン等に応じて、股下部のいずれの位置においても適宜配置することが可能である。
【００５５】
上記のような本発明の股下調整ズボンによれば、係止具と被係止具とが係合することにより、所定の長さに調整された状態で股下部の寸法が保持されて身体サイズに合致した寸法調整が可能になるとともに、極めて簡易な手段によって包摂部という二重構造を採用することによって、着用時においては、股下部へスムーズに足（下肢）を通すことができ、従来のように寸法調節部に足先を引っかけたりすることによる不快感を効果的に解消することができる。
【００５６】
さらに、係止具を複数備えることにより、股下寸法の迅速な微調整が可能であり、衣服本来の外観やデザインに悪影響を与えることもない。
【００５７】
さらにまた、包摂部が形成されることによって、係止具部分以外の裾の垂れ下がりを効果的に防止することができる点においてもすぐれている。
【００５８】
さらにまた、包摂部は内布一枚と外布一枚からなる二重構造に限定されるものではなく、上記のような本発明の機能を発揮できる限りにおいて、衣服の用途やデザイン等に応じて適宜二重以上の構造とすることができる。
【００５９】
なお、上記の実施態様においては、股下調整ズボンについて説明したが、本発明はズボン類に限定されるものではなく、下半身（下肢部）への着用を含む衣服、たとえばオーバーオールまたは作業用つなぎ服、あるいは工事現場等で着用する雨具等を広く包含し、男性用および女性用の双方を含むものであり、また衣服の適用年齢においても限定されるものではない。
【符号の説明】
【００６０】
１      股下調整ズボン
２      股上部
３      股下部
４      腰帯
５      ベルト通し
６      前立て部
７      ポケット
８      裾折り返し部
１１    外布
１２    内布
１３    長さ調整部
１４    包摂部
１５ａ  係止具
１５ｂ  被係止具
１６    接合部
【図１】
2019183338.tif 000003
【図２】
2019183338.tif 000004
【図３】
2019183338.tif 000005
【図４】
2019183338.tif 000006
【図５】
2019183338.tif 000007
【図６】
2019183338.tif 000008
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
股下部の長さを調整可能な衣服であって、
前記衣服は、股上部と股下部とを備え、
前記股下部の所定の位置に、内布と外布とからなる二重以上の構造により形成され、股下部の長さを調整する長さ調整部と、前記長さ調整部を包摂する包摂部とを備えてなり、  前記長さ調整部は、前記外布または前記内布の内表面に、長手方向に所定の間隔で配置された一つまたは複数の係止具と、前記外布または前記内布の内表面に、前記係止具と係合可能な被係止具と、を備え、前記係止具と被係止具とが係合することにより、所定の長さに調整された状態で前記股下部が保持され、
前記包摂部は、前記外布の下端部と内布の下端部の一部区間のみが接合されて開口部が形成された接合部を備え、前記接合された外布と内布との間に前記長さ調整部が包摂されることにより、股下部の長さを調整可能にしながら、着用時に足が前記長さ調整部に引っかかるのを防止できるようにしたことを特徴とする、衣服。
【請求項２】
前記係止具及び被係止具を含む前記長さ調整部が、衣服の両脇線部に設けられてなる、請求項１に記載の衣服。
【請求項３】
前記外布の下端部の裾に形状保持能を有する芯地部分が形成されてなる、請求項１または２に記載の衣服。
【請求項４】
前記係止具ないし被係止具が、ボタンである、請求項１〜３のいずれか一項に記載の衣服。
【請求項５】
前記係止具ないし被係止具が、面ファスナー、スナップ、およびズボン用のアジャスタ／アジャスタレールから選択されたものである、
請求項１〜４のいずれか一項に記載の衣服。
【請求項６】
前記接合部が面ファスナーによって形成されてなる、請求項１〜５のいずれか一項に記載の衣服。
【請求項７】
前記接合部が縫い付け手段によって形成されてなる、請求項１〜６のいずれか一項に記載の衣服。
【請求項８】
前記包摂部が、履いたときにつま先やかかと部分などの足の部位で引っかかる可能性が高い部分に包摂部が形成されるように、つま先方向の領域である右脇〜正面〜左脇、あるいは右脇〜かかと〜左脇を含む略半周領域のみに形成されるように構成されてなる、請求項７に記載の衣服。
【請求項９】
前記内布がメッシュからなる、請求項１〜８のいずれか一項に記載の衣服。
【請求項１０】
前記長さ調整部の被係止具が股下部の前記外布の裾折り返し部または前記内布に設けられてなる、請求項１〜９のいずれか一項に記載の衣服。
【請求項１１】
前記裾の芯地部分に、形状保持能を有する材料が導入されることによって、裾を折りあげて股下調整した際に芯地が外布を裏側（衣服内面側）から外表面に向かって押さえつけたような状態を保持するようにした、請求項３に記載の衣服。
【請求項１２】
前記衣服が、ズボン、オーバーオールまたは作業用つなぎ服から選ばれる、請求項１〜１１のいずれか一項に記載の衣服。